(57)【特許請求の範囲】
【請求項１】
測定対象物であるディジタル装置の各測定点にループアンテナを移動させて回路近傍の磁界を測定する電磁波障害測定装置であって、
前記ループアンテナを順次測定点に移動させる移動手段と、
前記ループアンテナが測定点に移動する毎に、前記ディジタル装置にタイミング信号を与えて予め決められたシーケンス処理を行なわせるタイミング制御手段と、
前記ディジタル装置から放射される電磁波を所定の位置で検出する電磁波障害測定用アンテナと、
該電磁波障害測定用アンテナによる測定値と電磁波障害規制値とを比較し、測定値が電磁波障害規制値を越えたときにトリガ信号を発生する比較手段と、
当該比較手段からのトリガ信号に基づいて、当該測定値が電磁波障害規制値を越えたときのタイミング情報を記録するための記憶手段と、
当該記憶手段に記録されているタイミング情報に基づいて、当該測定値が電磁波障害規制値を越えたときに行なっていたシーケンス処理だけを前記ディジタル装置に実行させるべく前記タイミング制御手段に指示を与えてタイミング信号を発生を発生させるとともに、前記ディジタル装置がシーケンス処理を実行している間に前記ループアンテナにより磁界を測定する中央制御装置と、
を備えたことを特徴とする電磁波障害測定装置。
【請求項２】
前記記憶手段は、
前記ディジタル装置の複数の測定点における測定結果を電磁波障害のサンプル値として記憶しておくための記憶領域を有し、    前記中央制御装置は、該記憶手段に記憶されているサンプル値と電磁波障害規制値とを比較し、サンプル値が電磁波障害規制値を越えたときに行なっていたシーケンス処理だけを前記ディジタル装置に実行させるべく、前記タイミング制御手段にタイミング信号の発生を指示する機能を備えていることを特徴とする請求項１記載の電磁波障害測定装置。
【請求項３】
前記電磁波障害測定用アンテナは前記ディジタル装置の周囲を移動可能に構成されていることを特徴とする請求項１記載の電磁波障害測定装置。
【請求項４】
前記中央制御装置は、予め前記ディジタル装置の各測定点にループアンテナを移動させて磁界を測定し、電磁波障害規制値を越える電磁波が発生するタイミング情報を取得しておき、そのタイミング情報に基づいて、前記ディジタル装置が電磁波障害規制値を越える電磁波を発生する頻度が所定値よりも高かったインストラクションだけを前記ディジタル装置に実行させるべく、前記タイミング制御手段に指示を与える機能を備えていることを特徴とする請求項１記載の電磁波障害測定装置。
【請求項５】
前記中央制御装置は、前記ディジタル装置で実行されるインストラクションを識別し、所定のインストラクション実行時の測定結果は磁界発生情報として取り込まないことを特徴とする請求項１記載の電磁波障害測定装置。
【請求項６】
前記ループアンテナによる測定磁界を周波数成分に変換するフーリエ変換装置と、
該フーリエ変換装置により変換されたそれぞれの周波数成分毎に振幅及び位相の較正を行うアンテナ較正係数補正と、
該アンテナ較正係数補正により較正された測定磁界の周波数成分から前記ディジタル装置の近傍における磁界波形を求めるフーリエ逆変換装置と、
を備えたことを特徴とする請求項１記載の電磁波障害測定装置。
【請求項７】
前記ディジタル装置の複数の測定点における磁界測定結果を記憶する記憶手段と、
該記憶手段に記憶されている複数の磁界測定結果に基づいて前記ディジタル装置の電流分布を求める逆解析手段と、  該逆解析手段により求めた電流分布情報から前記ディジタル装置の放射磁界を求める順解析装置と、
を備えたことを特徴とする請求項１記載の電磁波障害測定装置。
【請求項８】
前記記憶手段に記録されているタイミング情報は、前記ディジタル装置を複数重ねた状態で前記電磁波波障害測定用アンテナにより電磁障害波を測定した際、電磁障害波の測定値が電磁波障害規制値を越えたときのタイミング情報であることを特徴とする請求項１記載の電磁波障害測定装置。
【請求項９】
前記記憶手段に記録されているタイミング情報は、前記ディジタル装置に筐体を被せた状態で前記電磁波障害測定用アンテナにより電磁波障害を測定した際、電磁波障害の測定値が電磁波障害規制値を越えたときのタイミング情報であることを特徴とする請求項１記載の電磁波障害測定装置。
【発明の詳細な説明】
【０００１】
【発明の属する技術分野】
本発明は電磁障害測定装置に関し、特にディジタル装置から発生する電磁波ノイズを測定できる電磁障害測定装置に関するものである。
【０００２】
【従来の技術】
添付資料１の特開平６−５８９７０に示されているようにいくつかのループアンテナを碁盤目状に並べ近傍磁界を測定する方法、あるいは直線ステージでループアンテナの位置制御を行って近傍磁界を測定する方法が提案されている。これらの測定手法は大まかな近傍磁界の強度分布を調べるのには有効であるが、ディジタル回路では非周期波形であるため、ディジタル波形のどのタイミングで妨害電磁波が発生するかが不明であった。
従来、電子部品が実装された回路基板におけるノイズ発生源を調べるための電磁波障害測定装置（以下、ＥＭＩ測定装置という。）として、特開平６−５８９７０号公報に示されているように、複数のループアンテナを碁盤目状に配置してなる測定台上に測定対象物である回路基板を載せて磁界を測定するものや、直線ステージでループアンテナの位置制御を行って近傍磁界を測定するものが知られている。
【０００３】
【発明が解決しようとする課題】
しかし、上述した従来のＥＭＩ測定装置では、回路基板の近傍の磁界の強度分布を調べることにより、回路基板のどの部分がノイズ発生源であるかを大まかに知ることはできても、ディジタル装置では信号波形が非周期波形であるため、ディジタル装置の各測定点においてどのようなタイミングで電磁波ノイズが発生するかを測定することはできなかった。
本発明の課題は、上記従来の技術の欠点を解消し、ディジタル装置の全ての測定点において、ディジタル装置の動作とループアンテナによる磁界測定動作とを同期させ、ディジタル装置に同一のシーケンス処理を実行させて測定を行うことにより、各測定点でどのようなタイミングで電磁波ノイズが発生するかを測定することができるＥＭＩ測定装置を提供することにある。
【０００４】
【課題を解決するための手段】
上記課題を解決するために、請求項１記載の発明は、測定対象物であるディジタル装置の各測定点にループアンテナを移動させて回路近傍の磁界を測定するＥＭＩ測定装置において、前記ループアンテナを順次測定点に移動させる移動手段と、前記ループアンテナが測定点に移動する毎に、前記ディジタル装置にタイミング信号を与えて予め決められたシーケンス処理を行なわせるタイミング制御手段と、前記ディジタル装置から放射される電磁波を所定の位置で検出するＥＭＩ測定用アンテナと、該ＥＭＩ測定用アンテナによる測定値とＥＭＩ規制値とを比較し、測定値がＥＭＩ規制値を越えたときにトリガ信号を発生する比較手段と、当該比較手段からのトリガ信号に基づいて、当該測定値がＥＭＩ規制値を越えたときのタイミング情報を記録するための記憶手段と、当該記憶手段に記録されているタイミング情報に基づいて、当該測定値がＥＭＩ規制値を越えたときに行なっていたシーケンス処理だけを前記ディジタル装置に実行させるべく前記タイミング制御手段に指示を与えてタイミング信号を発生を発生させるとともに、前記ディジタル装置がシーケンス処理を実行している間に前記ループアンテナにより磁界を測定する中央制御装置と、を備えたものである。
また、請求項２記載の発明は、請求項１記載のＥＭＩ測定装置において、前記中央制御装置に、予め前記ディジタル装置の各測定点にループアンテナを移動させて磁界を測定し、所定の周波数でＥＭＩ規制値を越える電磁波が発生するタイミング情報を取得しておき、そのタイミング情報に基づいて、前記ディジタル装置が前記所定の周波数でＥＭＩ規制値を越える電磁波を発生させたときに行なっていたシーケンス処理だけを前記ディジタル装置に実行させるべく前記タイミング制御手段に指示を与える機能を持たせたものである。
また、請求項３記載の発明は、請求項１記載のＥＭＩ測定装置において、前記ＥＭＩ測定用アンテナを前記ディジタル装置の周囲を全周に亘って移動可能に構成したものである。
また、請求項４記載の発明は、請求項１記載のＥＭＩ測定装置において、前記中央制御装置に、予め前記ディジタル装置の各測定点にループアンテナを移動させて磁界を測定し、ＥＭＩ規制値を越える電磁波が発生するタイミング情報を取得しておき、そのタイミング情報に基づいて、前記ディジタル装置がＥＭＩ規制値を越える電磁波を発生する頻度が所定値よりも高かったインストラクションだけを前記ディジタル装置に実行させるべく、前記タイミング制御手段に指示を与える機能を持たせたものである。
また、請求項５記載の発明は、請求項１記載のＥＭＩ測定装置において、前記中央制御装置に、前記ディジタル装置で実行されるインストラクションを識別し、所定のインストラクション実行時の測定結果は磁界発生情報として取り込まないようにする機能を持たせたものである。
また、請求項６記載の発明は、請求項１記載のＥＭＩ測定装置において、前記ループアンテナによる測定磁界を周波数成分に変換するフーリエ変換装置と、該フーリエ変換装置により変換されたそれぞれの周波数成分毎に振幅及び位相の較正を行うアンテナ較正係数補正と、該アンテナ較正係数補正により較正された測定磁界の周波数成分から前記ディジタル装置の近傍における磁界波形を求めるフーリエ逆変換装置と、を備えたものである。
また、請求項７記載の発明は、請求項１記載のＥＭＩ測定装置において、前記ディジタル装置の複数の測定点における磁界測定結果を記憶する記憶手段と、該記憶手段に記憶されている複数の磁界測定結果に基づいて前記ディジタル装置の電流分布を求める逆解析手段と、該逆解析手段により求めた電流分布情報から前記ディジタル装置の放射磁界を求める順解析装置と、を備えたものである。
また、請求項８記載の発明は、請求項１記載のＥＭＩ測定装置において、前記記憶手段に記録されているタイミング情報を、前記ディジタル装置を複数重ねた状態で前記ＥＭＩ測定用アンテナにより電磁波を測定した際に測定値がＥＭＩ規制値を越えたときのタイミング情報としたものである。
また、請求項９記載の発明は、請求項１記載のＥＭＩ測定装置において、前記記憶手段に記録されているタイミング情報を、前記ディジタル装置に筐体を被せた状態で前記ＥＭＩ測定用アンテナにより電磁波を測定した際に測定値がＥＭＩ規制値を越えたときのタイミング情報としたものである。
【０００５】
【発明の実施の形態】
以下、本発明の実施の形態について図面を参照して説明する。
〈請求項１に対応する実施の形態〉
図１は、請求項１記載の発明に係るＥＭＩ測定装置の実施の形態の一例を示すブロック図である。図１において１は測定対象物であるディジタル装置、２はタイミング制御装置、３は中央制御装置、４はループアンテナ、５はループアンテナ移動装置、６はアンテナ較正係数補正装置、７はデータ記憶装置、８はＥＭＩ測定用アンテナ、９は比較装置である。
中央制御装置３は、ＣＰＵ及びＣＰＵで実行されるマイクロプログラムを記憶したＲＯＭを備えて構成され、タイミング制御装置２、ループアンテナ移動装置５、アンテナ較正係数補正装置６、データ記憶装置７、及び比較装置９を統括制御しつつ、近磁界プローブ４によりディジタル装置のＥＭＩ測定を行う。
ＥＭＩ測定用アンテナ８は、ディジタル装置１からＥＭＩ規格で定められている距離だげ離れた位置で、ディジタル装置１から放射される電磁波ノイズを検出している。比較装置９は、ＥＭＩ測定用アンテナ８により検出された電磁波ノイズがＥＭＩ規制値を超えたときだけ中央制御装置３にトリガー信号を送る。
中央制御装置３は、ループアンテナ４による磁界測定に先立ち、タイミング制御装置２により所定のタイミング信号を発生させて、ディジタル装置１に予め決められたシーケンス処理を実行させつつ、比較装置９からのトリガー信号を監視し、トリガー信号が送られてきたときのタイミング情報をデータ記憶装置７に記録する。
【０００６】
そして、ループアンテナ４による磁界測定の際には、中央制御装置３は、ループアンテナ移動装置５によりループアンテナ４を順次所定の測定位置に移動させる。そして、ループアンテナ４が測定点に移動する毎に、タイミング制御装置２に近磁界プローブ４の移動が完了したことを知らせる。すると、タイミング制御装置２は所定のタイミング信号を発生させる。
このとき、中央制御装置３は、データ記憶装置７に記憶されているタイミング情報に基づいて、ＥＭＩ測定用アンテナ８により検出された電磁波ノイズがＥＭＩ規制値を越えたときに行なっていたシーケンス処理だけをディジタル装置１に実行させるべく、タイミング制御装置２に指示を与えてタイミング信号を発生させる。このタイミング信号は、ディジタル装置１及び中央制御装置３に送られる。  ディジタル装置１は、タイミング信号に応じて予め決められたシーケンス処理を実行する。そして、中央制御装置３は、ループアンテナ４で発生する逆起電圧を、アンテナ較正係数補正装置６により予め特定された周波数の磁界発生情報に変換し、その磁界発生情報をデータ記憶装置７に記憶させる。
上記のように、ディジタル装置１から放射される電磁波ノイズをＥＭＩ測定用アンテナ８により測定して、ディジタル装置１がＥＭＩ規制値を越える電磁波ノイズを発生するシーケンス処理を予め特定しておき、その特定されたシーケンス処理のみをディジタル装置１に実行させて発生する磁界を測定することにより、それぞれの磁界測定点でどのようなタイミングで電磁妨害波が発生するのかを知ることができる。
【０００７】
〈請求項２に対応する実施の形態〉
図２は、請求項２記載の発明に係るＥＭＩ測定装置の実施の形態の一例を示すブロック図である。図２において１は測定対象物であるディジタル装置、２はタイミング制御装置、３は中央制御装置、４はループアンテナ、５はループアンテナ移動装置、６はアンテナ較正係数補正装置、７はデータ記憶装置、８はＥＭＩ測定用アンテナ、９は比較装置である。
この実施の形態のＥＭＩ測定装置は、請求項１に対応する図１のＥＭＩ測定装置と構成は同じてあるが、中央制御装置３は、上記の機能に加え、予め前記ディジタル装置１の各測定点にループアンテナ５を移動させて磁界を測定し、所定の周波数で電磁波障害規制値を越える電磁波が発生するタイミング情報を取得し、そのタイミング情報に基づいて、タイミング制御装置２に指示を与える機能を有している。また、データ記憶装置７は、ディジタル装置１の各測定点における測定結果をタイミング情報（測定時点を示す情報）とともに電磁波障害のサンプル値として記憶しておくための記憶領域を備えている。
中央制御装置３は、本測定に先立ち、ループアンテナ移動装置５によりループアンテナ４を、正常に動作することが予め確認されているディジタル装置１の幾つかの測定点に移動させて磁界を測定し、各測定結果をデータ記憶装置７に記憶させておき、本測定の際には、データ記憶装置７に記憶されているサンプル値とＥＭＩ規制値とを比較し、サンプル値がＥＭＩ規制値を越えたときに行なっていたシーケンス処理だけをディジタル装置１に実行させるべく、タイミング制御装置２によるタイミング信号の発生を制御する。そして、中央制御装置３は、ループアンテナ４で発生する逆起電圧を、アンテナ較正係数補正６により予め特定された周波数の磁界発生情報に変換し、その磁界発生情報をデータ記憶装置７に記憶させる。
上記のように、ディジタル装置１がＥＭＩ規制値を越える電磁波ノイズを発生するシーケンス処理を特定し、その特定されたシーケンス処理のみをディジタル装置１に実行させて発生する磁界を測定することにより、ＥＭＩ測定を効率良く行って測定時間を短縮化することができる。
【０００８】
〈請求項３に対応する実施の形態〉
図３は、請求項３記載の発明に係るＥＭＩ測定装置の実施の形態の一例を示すブロック図である。図３に示す装置構成は、図１の装置構成に加えて、ＥＭＩ測定用アンテナ８を測定対象であるディジタル装置１に対して移動させるアンテナ移動装置１０をさらに備えたものである。すなわち、ＥＭＩ測定用アンテナ８は、ディジタル装置１の周囲を全周に亘って移動可能に構成されており、アンテナ移動装置１０によって任意の位置に移動されるようになっている。
中央制御装置３は、ループアンテナ４による磁界測定に先立ち、タイミング制御装置２により所定のタイミング信号を発生させて、ディジタル装置１に予め決められたシーケンス処理を実行させる。そして、アンテナ移動装置１０を制御して、ＥＭＩ測定用アンテナ８をその移動軌跡がディジタル装置１を円筒状に囲むように移動させつつ、比較装置９からのトリガー信号を監視し、トリガー信号が送られてきたときのタイミング情報をデータ記憶装置７に記録する。これにより、ディジタル装置１を中心にして全ての方向に放射される電磁波ノイズを測定し、電磁波ノイズがＥＭＩ規制値を越えるタイミング情報を得ることができる。
【０００９】
そして、ループアンテナ４による近磁界測定の際には、データ記憶装置７に記憶されているタイミング情報に基づいて、ＥＭＩ測定用アンテナ８により検出された電磁波ノイズがＥＭＩ規制値を越えたときに行なっていたシーケンス処理だけをディジタル装置１に実行させるべく、タイミング制御装置２によるタイミング信号の発生を制御する。そして、中央制御装置３は、ループアンテナ４で発生する逆起電圧を、アンテナ較正係数補正６により予め特定された周波数の磁界発生情報に変換し、その磁界発生情報をデータ記憶装置７に記憶させる。
上記のように、ディジタル装置１から全ての方向に放射される電磁波ノイズをＥＭＩ測定用アンテナ８により測定して、ディジタル装置１がＥＭＩ規制値を越える電磁波ノイズを発生するシーケンス処理を特定し、その特定されたシーケンス処理のみをディジタル装置１に実行させて発生する近磁界を測定することにより、任意の測定点でＥＭＩ規制値を超える近磁界の測定をより精度良く効率的に行うことができる。
【００１０】
〈請求項４に対応する実施の形態〉
図４は、請求項４記載の発明に係るＥＭＩ測定装置の実施の形態の一例を示すブロック図である。図４において１は測定対象物であるディジタル装置、２はタイミング制御装置、３は中央制御装置、４はループアンテナ、５はループアンテナ移動装置、６はアンテナ較正係数補正装置、７はデータ記憶装置、８はＥＭＩ測定用アンテナ、９は比較装置である。
この実施の形態のＥＭＩ測定装置は、請求項１に対応する図１のＥＭＩ測定装置と構成は同じてあるが、中央制御装置３は、上記の機能に加え、予めディジタル装置１の各測定点にループアンテナ４を移動させて磁界を測定し、電磁波障害規制値を越える電磁波が発生するタイミング情報を取得しておき、そのタイミング情報に基づいて、ディジタル装置１が電磁波障害規制値を越える電磁波を発生する頻度が所定値よりも高かったインストラクションだけをディジタル装置１に実行させるべく、タイミング制御装置２に指示を与える機能を有している。また、データ記憶装置７は、ディジタル装置１の各測定点における測定結果をタイミング情報（測定時点を示す情報）とともに電磁波障害のサンプル値として記憶しておくための記憶領域を備えている。
【００１１】
中央制御装置３は、本測定に先立ち、ループアンテナ移動装置５によりループアンテナ４を、正常に動作することが予め確認されているディジタル装置１の幾つかの測定点に移動させて磁界を測定し、各測定結果をデータ記憶装置７に記憶させておき、本測定の際には、データ記憶装置７に記憶されているサンプル値とＥＭＩ規制値とを比較し、電磁波障害規制値を越える電磁波を発生する頻度が所定値よりも高かったインストラクションだけをディジタル装置１に実行させるべく、タイミング制御装置２によるタイミング信号の発生を制御する。そして、中央制御装置３は、ループアンテナ４で発生する逆起電圧を、アンテナ較正係数補正６により予め特定された周波数の磁界発生情報に変換し、その磁界発生情報をデータ記憶装置７に記憶させる。
上記のように、ディジタル装置１がＥＭＩ規制値を越える電磁波ノイズを発生しやすいインストラクションを特定し、その特定されたインストラクションのみをディジタル装置１に実行させて発生する磁界を測定することにより、ＥＭＩ測定をより精度良く且つ効率良く行って測定時間を短縮化することができる。
【００１２】
〈請求項５に対応する実施の形態〉
図５は、請求項５記載の発明に係るＥＭＩ測定装置の実施の形態の一例を示すブロック図である。図５に示す装置構成は、図１の装置構成に加えて、ディジタル装置１で実行されるインストラクションを識別し、通常の動作とは関係のない所定のインストラクション実行時、例えば割り込み処理などの実行時における測定結果は磁界発生情報として取り込まないようにする機能を有している。
中央制御装置３は、タイミング制御装置２、ループアンテナ移動装置５、アンテナ較正係数補正装置６、データ記憶装置７、及び比較装置９を統括制御しつつ、近磁界プローブ４によりディジタル装置のＥＭＩ測定を行う。
その際、中央制御装置３は、ループアンテナ移動装置５によりループアンテナ４を順次所定の測定位置に移動させる。そして、ループアンテナ４が測定点に移動する毎に、タイミング制御装置２にループアンテナ４の移動が完了したことを知らせる。
すると、タイミング制御装置２は所定のタイミング信号を発生させる。このタイミング信号は、ディジタル装置１及び中央制御装置３に送られる。ディジタル装置１は、タイミング信号に応じて予め決められたシーケンス処理を実行する。一方、中央制御装置３は、ディジタル装置１で実行されるインストラクション監視しつつ、ループアンテナ４で発生する逆起電圧を、アンテナ較正係数補正装置６により予め特定された周波数の磁界発生情報に変換し、割り込み処理などの所定のインストラクションが実行された場合には、当該インストラクション実行中以外の近磁界情報だけをデータ記憶装置７に記憶させる。
以上のようにして、通常の動作と関係のない所定のインストラクションによる影響を排除し、常に通常のシーケンス処理実行中における電磁波ノイズだけを正確に測定することができる。
【００１３】
〈請求項６に対応する実施の形態〉
図６は、請求項６記載の発明に係るＥＭＩ測定装置の実施の形態の一例を示すブロック図である。図６に示す装置構成は、図１の装置構成に加えて、ループアンテナ４による測定磁界を周波数成分に変換するフーリエ変換装置１１と、フーリエ変換装置１１により変換されたそれぞれの周波数成分毎に振幅及び位相の較正を行うアンテナ較正係数補正装置１２と、アンテナ較正係数補正装置１２により較正された測定磁界の周波数成分をディジタル装置１の近傍における近磁界波形すなわち電流波形に変換するフーリエ逆変換装置１３とをさらに備えたものである。
中央制御装置３は、タイミング制御装置２、プローブ移動装置５、ループアンテナ移動装置５、アンテナ較正係数補正装置６、データ記憶装置７、比較装置９、フーリエ変換装置１１、アンテナ較正係数補正装置１２、及びフーリエ逆変換装置１３を統括制御しつつ、ループアンテナ４によりディジタル装置のＥＭＩ測定を行う。
その際、中央制御装置３は、プローブ移動装置５によりループアンテナ４を順次所定の測定位置に移動させる。そして、ループアンテナ４が測定点に移動する毎に、タイミング制御装置２にループアンテナ４の移動が完了したことを知らせる。すると、タイミング制御装置２は所定のタイミング信号を発生させる。このタイミング信号は、ディジタル装置１及び中央制御装置３に送られる。ディジタル装置１は、タイミング信号に応じて予め決められたシーケンス処理を実行する。一方、中央制御装置３は、ループアンテナ４がディジタル装置１からの電磁波ノイズを受けて発生する逆起電圧を、アンテナ較正係数補正装置６により予め特定された周波数の磁界発生情報に変換し、その磁界発生情報をデータ記憶装置７に記憶させる。
【００１４】
また、中央制御装置３は、一連の磁界測定処理が終わって、ある時刻のある測定位置での近傍電流波形を測定したい場合、ループアンテナ移動装置５によりループアンテナ４を所定の位置に移動する。そして、タイミング制御装置２にタイミング信号発生指示を与えて、ディジタル装置１に予め決められたシーケンス処理を行わせ、所定の時刻になった時、フーリエ変換装置１１により、ループアンテナ４により所定の時刻に測定された近磁界を周波数成分に変換し、アンテナ較正係数補正装置１２により、それぞれの周波数成分毎に振幅及び位相の較正を行った後、逆フーリエ変換装置１３により、測定磁界の周波数成分を近傍磁界波形すなわち電流波形に変換し、その電流波形情報をデータ記憶装置７に記憶させる。
以上のようにして、任意の時刻の任意の測定点における電流波形を測定することができ、その情報を基にしてより効果的なＥＭＩ対策を行うことができる。
【００１５】
〈請求項７に対応する実施の形態〉
図７は、請求項７記載の発明に係るＥＭＩ測定装置の実施の形態の一例を示すブロック図である。図７に示す装置構成は、図１の装置構成に加えて、データ記憶手段７に記憶されている複数の近磁界測定結果に基づいてディジタル装置１の電流分布を求める逆解析装置１４と、逆解析装置１４により求めた電流分布情報からディジタル装置１の放射近磁界を求める順解析装置１５とをさらに備えたものである。
中央制御装置３は、タイミング制御装置２、ループアンテナ移動装置５、アンテナ較正係数補正装置６、データ記憶装置７、比較装置９、逆解析装置１４、及び順解析装置１５を統括制御しつつ、近磁界プローブ４によりディジタル装置のＥＭＩ測定を行う。
その際、中央制御装置３は、ループアンテナ移動装置５によりループアンテナ４を順次所定の測定位置に移動させる。そして、ループアンテナ４が測定点に移動する毎に、タイミング制御装置２にループアンテナ４の移動が完了したことを知らせる。すると、タイミング制御装置２は所定のタイミング信号を発生させる。このタイミング信号は、ディジタル装置１及び中央制御装置３に送られる。ディジタル装置１は、タイミング信号に応じて予め決められたシーケンス処理を実行する。一方、中央制御装置３は、近磁界プローブ４がディジタル装置１からの電磁波ノイズを受けて発生する逆起電圧を、アンテナ較正係数補正装置６により予め特定された周波数の時間領域での近磁界情報に変換し、その近磁界情報をデータ記憶装置７に記憶させる。
そして、中央制御装置３は、全ての測定点における近磁界の測定及びデータ記憶装置７への記録が完了すると、データ記憶装置７に記憶されている複数の近磁界情報を読み出して逆解析装置１４に送る。すると、逆解析装置１４は、複数の近磁界情報に基づいてディジタル装置１の電流分布を求める。
さらに、中央制御装置３は、逆解析装置１４により求めた電流分布情報を順解析装置１５に送り、電流分布情報からディジタル装置１の放射近磁界を算出させる。順解析装置１５において使用される放射近磁界Ｈの計算式は次式（１）で表される。
【００１６】
【数１】
0003587950.tif 000002
ここで、Ｊは体積ｖ内での電流分布、ｒは源から測定点までの距離、βは波数である。
以上の処理により、ディジタル装置１の任意の位置の電流値を低減した場合にどの程度放射近磁界が低減できるかを前もって予測することができ、その情報を基にしてより効果的なＥＭＩ対策を行うことができる。
【００１７】
〈請求項８に対応する実施の形態〉
図８は、請求項８記載の発明に係るＥＭＩ測定装置の実施の形態の一例を示すブロック図である。図８において１は測定対象物であるディジタル装置、２はタイミング制御装置、３は中央制御装置、４はループアンテナ、５はループアンテナ移動装置、６はアンテナ較正係数補正、７はデータ記憶装置、８はＥＭＩ測定用アンテナ、９は比較装置である。
この実施の形態では、ループアンテナ４による磁界測定に先立ち、ディジタル装置１を複数重ねた状態で、タイミング制御装置２により所定のタイミング信号を発生させて、ディジタル装置１に予め決められたシーケンス処理を実行させつつ、比較装置９からのトリガー信号を監視し、トリガー信号が送られてきたときのタイミング情報をデータ記憶装置７に記録する。そして、ループアンテナ４による磁界測定の際には、ディジタル装置１を１枚ずつの状態にして、請求項１に対応する実施の形態と全く同様にして測定を行う。
すなわち、ディジタル装置１を複数重ねた状態において、ＥＭＩ規制値を越える電磁波が発生されるときのタイミング情報を予め取得しておき、そのタイミング情報に基づいて、ＥＭＩ規制値を越える電磁波が発生されたときに行なっていたシーケンス処理だけをディジタル装置１に実行させつつ、ループアンテナ４による磁界測定を行う。
このように、ディジタル装置１を複数重ねた状態においてＥＭＩ規制値を越える電磁波ノイズを発生するシーケンス処理を特定し、その特定されたシーケンス処理のみを個々のディジタル装置１に実行させて発生する近磁界を測定することにより、ディジタル装置１が複数重なった状態での電磁波ノイズの発生と相関があるそれぞれのディジタル装置１の磁界を測定することができ、その情報を基にしてより効果的なＥＭＩ対策を行うことができる。
【００１８】
〈請求項９に対応する実施の形態〉
図９は、請求項９記載の発明に係るＥＭＩ測定装置の実施の形態の一例を示すブロック図である。図９において１は測定対象物であるディジタル装置、２はタイミング制御装置、３は中央制御装置、４はループアンテナ、５はループアンテナ移動装置、６はアンテナ較正係数補正、７はデータ記憶装置、８はＥＭＩ測定用アンテナ、９は比較装置である。
この実施の形態では、ループアンテナ４による磁界測定に先立ち、ディジタル装置１を筐体１６内に収容した状態で、タイミング制御装置２により所定のタイミング信号を発生させて、ディジタル装置１に予め決められたシーケンス処理を実行させつつ、比較装置９からのトリガー信号を監視し、トリガー信号が送られてきたときのタイミング情報をデータ記憶装置７に記録する。そして、ループアンテナ４による磁界測定の際には、筐体１６を取り除き、請求項１に対応する実施の形態と全く同様にして測定を行う。
すなわち、ディジタル装置１を筐体１６内に収容した状態において、ＥＭＩ規制値を越える電磁波が発生されるときのタイミング情報を予め取得しておき、そのタイミング情報に基づいて、ＥＭＩ規制値を越える電磁波が発生されたときに行なっていたシーケンス処理だけを各ディジタル装置１に実行させつつ、ループアンテナ４による磁界測定を行う。
このように、ディジタル装置１を複数重ねた状態においてＥＭＩ規制値を越える電磁波ノイズを発生するシーケンス処理を特定し、その特定されたシーケンス処理のみをディジタル装置１に実行させて発生する近磁界を測定することにより、ディジタル装置１を筐体１６内に収容した状態での電磁波ノイズの発生と相関があるそれぞれのディジタル装置１の磁界を測定することができ、その情報を基にしてより効果的なＥＭＩ対策を行うことができる。
【００１９】
【発明の効果】
以上説明したように、本発明によれば以下のような優れた効果を発揮できる。請求項１記載の発明によれば、測定対象物であるディジタル装置の各測定点に近磁界プローブを移動させて回路近傍の近磁界を測定するＥＭＩ測定装置において、ディジタル装置から放射される電磁波ノイズをＥＭＩ測定用アンテナにより実際に測定して、ディジタル装置がＥＭＩ規制値を越える電磁波ノイズを発生するシーケンス処理を特定し、近磁界プローブを測定点に移動させる毎に、特定されたシーケンス処理のみをディジタル装置に実行させつつ、ループアンテナにより磁界を測定するように構成したので、ディジタル装置の全ての測定点において、ディジタル装置に同一のシーケンス処理を実行させて効率良く測定を行うことができ、その結果、各測定点でどのようなタイミングで電磁波ノイズが発生するかを知ることができる。
また、請求項２記載の発明によれば、請求項１の効果に加えて、予め前記ディジタル装置の各測定点にループアンテナを移動させて磁界を測定し、所定の周波数でＥＭＩ規制値を越える電磁波が発生するタイミング情報を取得し、そのタイミング情報に基づいて、ＥＭＩ規制値を越える電磁波ノイズが発生したときに実行されていたシーケンス処理のみをディジタル装置に実行させつつ測定を行う構成としたので、より正確に且つ効率良く測定を行うことができる。
【００２０】
また、請求項３記載の発明によれば、請求項１の効果に加え、ＥＭＩ測定用アンテナを移動させつつディジタル装置からの電磁波ノイズを測定することにより、ディジタル装置から全ての方向に放射される電磁波ノイズを測定できるので、ディジタル装置がＥＭＩ規制値を越える電磁波ノイズを発生するシーケンス処理をより正確に特定することができ、その特定されたシーケンス処理のみをディジタル装置に実行させて発生する近磁界を測定することにより、任意の測定点でＥＭＩ規制値を超える近磁界の測定をより精度良く効率的に行うことができる。
また、請求項４記載の発明によれば、請求項１の効果に加えて、ディジタル装置がＥＭＩ規制値を越える電磁波ノイズを発生しやすいインストラクションを特定し、その特定されたインストラクションのみをディジタル装置に実行させて発生する磁界を測定することにより、ＥＭＩ測定をより精度良く且つ効率良く行って測定時間を短縮化することができる。
【００２１】
また、請求項５記載の発明によれば、請求項１の効果に加えて、通常の動作とは関係のない所定のインストラクション実行時における測定結果は磁界発生情報として取り込まないようにできるので、通常の動作と関係のない所定のインストラクションによる影響を排除し、常に通常のシーケンス処理実行中における電磁波ノイズだけを正確に測定することができる。
また、請求項６記載の発明によれば、請求項１の効果に加えて、任意の時刻の任意の測定点における電流波形を測定することができ、その情報を基にしてより効果的なＥＭＩ対策を行うことができる。
【００２２】
また、請求項７記載の発明は、請求項１の効果に加えて、複数の測定点における磁界測定結果に基づいてディジタル装置の電流分布を求め、その電流分布情報からディジタル装置の放射近磁界を求めることができるので、ディジタル装置の任意の位置の電流値を低減した場合にどの程度放射磁界が低減できるかを前もって予測し、ＥＭＩ対策を効果的に行うことができる。
また、請求項８記載の発明によれば、請求項１の効果に加えて、ディジタル装置を複数重ねた状態においてＥＭＩ規制値を越える電磁波ノイズを発生するシーケンス処理を特定し、その特定されたシーケンス処理のみを個々のディジタル装置に実行させて発生する近磁界を測定することにより、ディジタル装置が複数重なった状態での電磁波ノイズの発生と相関があるそれぞれのディジタル装置の磁界を測定することができ、その情報を基にしてより効果的なＥＭＩ対策を行うことができる。
【００２３】
また、請求項９記載の発明によれば、請求項１の効果に加えて、ディジタル装置を複数重ねた状態においてＥＭＩ規制値を越える電磁波ノイズを発生するシーケンス処理を特定し、その特定されたシーケンス処理のみをディジタル装置に実行させて発生する近磁界を測定することにより、ディジタル装置を筐体内に収容した状態での電磁波ノイズの発生と相関があるそれぞれのディジタル装置の磁界を測定することができ、その情報を基にしてより効果的なＥＭＩ対策を行うことができる。
【図面の簡単な説明】
【図１】請求項１記載の発明に係る電磁波障害測定装置の実施の形態の一例を示すブロック図である。
【図２】請求項２記載の発明に係る電磁波障害測定装置の実施の形態の一例を示すブロック図である。
【図３】請求項３記載の発明に係る電磁波障害測定装置の実施の形態の一例を示すブロック図である。
【図４】請求項４記載の発明に係る電磁波障害測定装置の実施の形態の一例を示すブロック図である。
【図５】請求項５記載の発明に係る電磁波障害測定装置の実施の形態の一例を示すブロック図である。
【図６】請求項６記載の発明に係る電磁波障害測定装置の実施の形態の一例を示すブロック図である。
【図７】請求項７記載の発明に係る電磁波障害測定装置の実施の形態の一例を示すブロック図である。
【図８】請求項８記載の発明に係る電磁波障害測定装置の実施の形態の一例を示すブロック図である。
【図９】請求項９記載の発明に係る電磁波障害測定装置の実施の形態の一例を示すブロック図である。
【符号の説明】
１  ディジタル装置、２  タイミング制御装置、３  中央制御装置（測定手段）、４  ループアンテナ、５  ループアンテナ移動装置、６  アンテナ較正係数補正装置、７  データ記憶装置、８  ＥＭＩ測定用アンテナ、９  比較装置、１０  アンテナ移動装置、１１  フーリエ変換装置、１２  アンテナ較正係数補正装置、１３  フーリエ逆変換装置、１４  逆解析装置、１５  順解析装置、１６筐体。
【図１】
0003587950.tif 000003
【図２】
0003587950.tif 000004
【図３】
0003587950.tif 000005
【図４】
0003587950.tif 000006
【図５】
0003587950.tif 000007
【図６】
0003587950.tif 000008
【図７】
0003587950.tif 000009
【図８】
0003587950.tif 000010
【図９】
0003587950.tif 000011